(57)【要約】【課題】シンプルであって、竿管強度への影響を小さくした釣竿部品の装着固定構造を提供する。【解決手段】竿管１０表面に釣竿部品を装着固定する構造であって、雄ねじ部品２２と螺合する雌ねじを設けたナット部品２０を有し、ナット部品は一端部に、隣接した首部よりも外径の大きな頭部２０Ｔを有し、少なくとも該頭部に隣接した首部は断面非円形形状であり、装着釣竿部品１６，１８に対応する竿管の位置に前記ナット部品の頭部の挿通可能な大きさの孔１２を設け、該孔の前又は後ろに連続し、前記頭部が挿通できない大きさであり、前記首部は所定の向きで前記孔から前後方向に移動できるが、移動後にはナット部品の軸線回りに回動できない大きさの連続孔１４を設け、頭部を竿管の内側に位置させつつナット部品を連続孔に位置させ、ナット部品の他端部側に装着すべき釣竿部品１６，１８に設けた部品孔１６Ｈ，１８Ｈを位置させ、ナット部品の雌ねじに雄ねじ部品を螺合させて固定するよう構成する。【選択図】        図１
2006087397.tif 000002
【特許請求の範囲】
【請求項１】
竿管表面に釣竿部品を装着固定する構造であって、雄ねじ部品と螺合する雌ねじを設けたナット部品を有し、
ナット部品は一端部に、隣接した首部よりも外径の大きな頭部を有し、少なくとも該頭部に隣接した首部は断面非円形形状であり、
装着釣竿部品に対応する竿管の位置に前記ナット部品の頭部の挿通可能な大きさの孔を設け、該孔の前又は後ろに連続し、前記頭部が挿通できない大きさであり、前記首部は所定の向きで前記孔から前後方向に移動できるが、移動後にはナット部品の軸線回りに回動できない大きさの連続孔を設け、
頭部を竿管の内側に位置させつつナット部品を連続孔に位置させ、ナット部品の他端部側に装着すべき釣竿部品に設けた部品孔を位置させ、ナット部品の雌ねじに雄ねじ部品を螺合させて固定することを特徴とする釣竿部品の装着固定構造。
【請求項２】
前記首部に隣接して肩部があり、連続孔に位置したナット部品の該肩部は前記連続孔の貫通方向に挿通できない幅を有する請求項１記載の釣竿部品の装着固定構造。
【請求項３】
前記頭部は板状であり、板厚が０．２〜１．０ｍｍの範囲である請求項１又は２記載の釣竿部品の装着固定構造。
【発明の詳細な説明】
【技術分野】
【０００１】
本発明は、釣竿表面への部品装着構造に関し、中通し釣竿や外通し釣竿に適用できる。
【背景技術】
【０００２】
釣竿部品を装着固定させる構造の例が、本出願人による下記特許文献１に開示されている。竿管に係止孔を設け、該係止孔に挿入する拡径可能な突出係合部を部品に設けておき、挿入後拡径させて係止孔に圧接係合させる構造である。また、本出願人による特許文献２には、巻回紐によって台座前後を竿管に固定し、該台座に対して釣糸導入孔位置のガイド部材を着脱可能にさせるべくねじ部材を使用した装着固定構造が開示されている。
【特許文献１】特開平７−３１３０２２号公報
【特許文献２】特開平１１−４６６３２号公報
【発明の開示】
【発明が解決しようとする課題】
【０００３】
然しながら、前者の装着構造では、竿管に設けた係止孔縁に部品の突出係合部を圧接させるため、係止孔が拡径する力を受ける。従って、竿管強度に悪影響を及ぼす虞がある。また、圧接構造のためガタが生じる可能性があり、装着固定構造としての信頼性に問題がある。更には、突出係合部が竿管内部に突出するため、振出式釣竿の場合は、前節の収納の際に、前節が当該突出係合部に当たる等の不具合が生じ得る。
後者の構造では、台座を竿管に固定するのに巻回紐を使用しており、更に、部品を装着固定するのにねじ部材を使用するという２重の装着構造となっており、一種の無駄ともいえる構造となっている。
従って解決しようとする課題は、シンプルであって、竿管強度への影響を小さくした釣竿部品の装着固定構造を提供することである。
【課題を解決するための手段】
【０００４】
請求項１に係る発明では、竿管表面に釣竿部品を装着固定する構造であって、雄ねじ部品と螺合する雌ねじを設けたナット部品を有し、ナット部品は一端部に、隣接した首部よりも外径の大きな頭部を有し、少なくとも該頭部に隣接した首部は断面非円形形状であり、装着釣竿部品に対応する竿管の位置に前記ナット部品の頭部の挿通可能な大きさの孔を設け、該孔の前又は後ろに連続し、前記頭部が挿通できない大きさであり、前記首部は所定の向きで前記孔から前後方向に移動できるが、移動後にはナット部品の軸線回りに回動できない大きさの連続孔を設け、頭部を竿管の内側に位置させつつナット部品を連続孔に位置させ、ナット部品の他端部側に装着すべき釣竿部品に設けた部品孔を位置させ、ナット部品の雌ねじに雄ねじ部品を螺合させて固定することを特徴とする釣竿部品の装着固定構造を提供する。
【０００５】
請求項２では、前記首部に隣接して肩部があり、連続孔に位置したナット部品の該肩部は前記連続孔の貫通方向に挿通できない幅を有するよう構成する。
請求項３では、前記頭部は板状であり、板厚が０．２〜１．０ｍｍの範囲であるよう構成する。
【発明の効果】
【０００６】
本発明の請求項１では、ナット部材の頭部を竿管に設けた孔を通し、その首部を所定の向きにして連続孔に移動させ、治具等の適宜な手段でナット部材を保持しつつ、他端部（上方部）から部品孔を対面させた釣竿部品を、雄ねじ部品とナット部品の螺合によって竿管表面に装着固定する。この場合、連続孔の大きさとの関連で首部はナット部品の軸線回りに回動できないため、雄ねじ部品を締め込む際にナット部品が共回りしないで締め込むことができる。締め込み作業終了後では、ねじの螺合によって竿管は内部からナット部品の頭部裏面によって押圧され、外部からは装着釣竿部品によって押圧される。結局、竿管の孔周辺部は竿管面を押圧する力を受けるだけであり、孔が拡径される力を受けない。従って、竿管強度に及ぼす影響を小さくでき、また、このねじ螺合のみで部品を装着固定することができ、無駄の無いシンプルな構造にすることができる。
【０００７】
請求項２では、ナット部品を連続孔に移動させた後手を離しても、肩部の存在によってナット部品は竿管内部に落ち込むことが無い。即ち、保持のための特別な治具が必要無く、非常に簡便に装着固定作業が可能となる。
請求項３では、ナット部品の竿管内部へ突出した頭部は板状であって０．２〜１．０ｍｍ故、突出量が小さい。従って振出構造の竿の場合、前節収納の邪魔になり難い。
【発明を実施するための最良の形態】
【０００８】
以下、本発明を図面を用いて詳細に説明する。図１は、本発明に係る釣竿部品の装着固定構造の第１の形態例の要部縦断面図、図２は図１の矢視線Ｂ−Ｂによる横断面図、図３は図１の例に使用の竿管、図４は装着釣竿部品の一部品、図５は装着釣竿部品の他の一部品、図６は装着固定に使用のナット部品、図７はナット部品の他の形態例の図である。この第１形態例は中通し釣竿の釣糸導入部における釣糸導入部品の装着固定構造であり、竿管１０には前後方向に長い長孔１２が形成され、その前側位置にこの長孔と連通する連続孔１４が形成されている。後述の理由によって、連続孔の幅Ｗ２は長孔の幅Ｗ１よりも狭い。
【０００９】
この例の装着釣竿部品は、図４に示す金属材からなるブリッジ状導入部品１６と、この導入部品１６に装着する合成樹脂材からなり、内側に空洞部を有するノーズ部品１８である。導入部品１６の開口部１６ＧＨにはセラミックス等の硬質のガイドリング（図示せず）を装着させる。ノーズ部品は、釣竿先端から糸通しする際に、糸通し具の先部が該ノーズ内面によって案内され、前記ガイドリングから外部に確実に導出されるための物である。ノーズ部品１８の稜線部近くは、導入部品１６の板厚を幾分上回る深さの凹所１８Ａに形成しており、ここに導入部品の開口部１６ＧＨの前側の延伸脚部を嵌め込み、夫々に設けた部品孔１６Ｈ，１８Ｈを介して後述の雄ねじ部品２２を挿通させ、竿管に対して固定する。組み込みの際の部品精度誤差を吸収するため、ノーズ部品の部品孔１８Ｈは前後方向に長い長孔に形成している。また、連続孔１４も同様の理由で前後方向に長く形成している。
【００１０】
図６を参照してナット部品２０を説明する。ステンレス等の金属製厚肉円筒状のナット部品の一端に板状フランジ頭部２０Ｔを設けている。この頭部に隣接した首部には、１８０度径方向に対向するよう２箇所の平面部２０Ｋがフライス作業により研削形成されている。この対向幅Ｗ２’は上記の連続孔の幅Ｗ２に近い（Ｗ２’が僅かに小さい）寸法に形成するが、その他の円筒部外側直径Ｗ３は連続孔の幅Ｗ２よりも大きい。また、首部よりも大きく、ナット部品の最大外径でもある頭部直径Ｗ４は前記長孔の幅Ｗ１より小さい。軸長方向において、頭部を反対側端部は肩部２０Ｓとなっている。肩部の最大外径はＷ３である。なお、平面部２０Ｋの図６（ａ）における左右方向の平面長さは、竿管１０の肉厚よりも長く形成している。また、ナット部品２０の全長（図６（ａ）における左右方向長さ）は、図２の装着固定状態においてその上端位置が部品１６の下面位置、即ち、部品１８の孔１８Ｈの上端位置よりも低い位置になる長さに設定している。
【００１１】
従って、ナット部品の頭部を前記長孔１２に挿通でき、更には、１対の平面部２０Ｋの面方向を竿管の長手方向にした（首部を所定方向にした）状態で該長孔から連続孔１４に移動できる。こうして連続孔に位置したナット部品から手を離しても、肩部２０Ｓの存在によって該ナット部品は落下せず、連続孔１４の縁部に引っ掛り、保持される。
【００１２】
この状態のナット部品２０の他端部（頭部とは反対側の端部）に、既述部品１８の長孔１８Ｈと部品１６の孔１６Ｈを位置させて挿通させる。そして、部品１６の外側（上方）からステンレス等の金属製雄ねじ部品２２をナット部品の雌ねじ部に螺合させる。この際、ナット部品２０は円筒部外径Ｗ３が連続孔１４の幅Ｗ２よりも大きいため、平面部が連続孔の孔縁壁に係合して共回りせずに締結可能となる。即ち、雄ねじ部品の頭部が部品１６を竿管表面の方向に押圧し、また、既述のように、ナット部品の全長は所定長さであるため、部品１６下面が部品１８の表面を押圧できて該部品１８を竿管表面に押圧する。しかも、ナットの頭部２０Ｔを竿管１０の内面に押し当てて密着させるように引き上げる。なお、竿管１０の連続孔１４の付近の管壁は、竿管内側からはナット部品の頭部２０Ｔによって外方向に押圧されている。即ち、竿管は管壁面が挟まれて圧縮されるように力を受けており、締結された後では、連結孔を拡径させる力は作用しない。
【００１３】
このため、孔縁から竿管を裂くような力は存在せず、本発明の装着固定構造では竿管強度への影響が小さい。
なお、この例では、部品１６は金属製であるが、繊維強化樹脂製の竿管１０に対して直接接触している部品１８が合成樹脂製故、締結装着固定時の竿管１０に対する応力集中は小さい。即ち、図１の部位Ｐ１における応力集中は小さい。また、金属製部品１６の端部が合成樹脂製部品１８に及ぼす応力、即ち、図１の部位Ｐ２に作用する応力は、部品１８自体が合成樹脂という柔軟性のある部材故、分散して応力集中が緩和される。
【００１４】
装着後の部品安定性のために、部品１８の長孔１８Ｈの左右方向幅は、図２に示すように、ナット部品２０の円筒部外径Ｗ３と概ね一致させている。更には、板状フランジ頭部２０Ｔは約０．４ｍｍ程の厚さであり、竿管内面からの最大突出量が０．５ｍｍ程であり、振出構造の場合、前側節（前側竿管）を収納させる場合にも殆ど引っ掛りは生じない。また、釣竿先端からの糸通し（トップイン方式）の場合でも、糸通し具の先端部がこの頭部２０Ｔに引っ掛る虞は非常に小さい。
【００１５】
図１の参照記号Ｇは、セラミックスガイド部品であり、長孔１２の先端部に位置している。また、ブリッジ状導入部品１６とノーズ部品１８との前部を本発明に係る装着固定構造で固定しているが、後部も同様に固定できる。しかし、本発明構造を前後の一方のみに適用し、他方を巻回糸で固定してもよい。
【００１６】
図７はナット部品の他の形態例を示しており、第１例の場合と異なるのは、頭部以外は正八角形の首部に形成されており、対向する２箇所の平面部２０Ｋが４対存在する。長孔１２から連続孔１４への移動時には、対向する所定の２平面部２０Ｋを結ぶ線に対して直交する方向、例えば図７（Ｃ）の矢印線方向に移動させることができ、この移動後の雄ねじ部品との螺合では、平面部が連続孔１４の孔縁壁に干渉して共回りしない。しかし、この例では頭部以外は首部であり、肩部が存在しない故、連続孔へ移動した後のナット部品を適宜な治具によって保持する必要がある。
【００１７】
図８はリールを装着固定する板状リールシート部品２６の前後位置に適用した例を示す。この例では合成樹脂製の台座２８を介して固定している。この部品２６，２８を貫通した部品孔と、図９に示す連続孔３４を介して、ナット部品２０と雄ねじ部品２２とによって装着固定している。ナット部品の板状フランジ頭部を竿管内に挿通させる孔３２は、ここでは単純な丸孔形状である（第１例のように長孔である必要は無い）が、装着部品２６の長さが長いため、組み込みの際の部品精度誤差を吸収すべく連続孔３４は長孔としており、その幅寸法は孔３２よりも小さい。後部位置の場合も同様である。
【００１８】
図１０は外通し釣竿のガイド部品３６の足部の前後に適用した例を示す。この例では合成樹脂製の台座３８を介して固定している。この部品３６，３８を貫通した部品孔と、図１１に示す連続孔４４を介して、ナット部品２０と雄ねじ部品２２とによって装着固定している。ナット部品の板状フランジ頭部を竿管内に挿通させる孔４２は、ここでも単純な丸孔形状である（第１例のように長孔である必要は無い）が、装着部品３６の足部の長さが比較的短いため、部品精度誤差が小さく、連続孔４４は長孔としていない。その幅寸法は孔４２よりも小さい。後部も同様である。
【００１９】
第１例では部品１８の存在により、また、図８や図１０の例では、台座の存在により、雄ねじ部品の長さをその分長くできる。ＪＩＳ規格の製品では、ねじ部品の長さが長いということはねじ径が大きいことに対応する。従って、その分、強度が強い。各装着部品毎に必要とされる固定力は異なるが、台座を設けるか否か、また、台座の厚さにより、そのねじ部品の強度（サイズ）を選択できる。以上の例のように、ナット部品２０と雄ねじ部品２２とを金属製とすれば、ねじ山の耐久性が向上し、ねじがバカになり難い。また、ナット部品の頭部は必ずしも板状である必要は無い。
【産業上の利用可能性】
【００２０】
本発明は、中通し釣竿や外通し釣竿への部品装着固定に利用できる。
【図面の簡単な説明】
【００２１】
【図１】図１は本発明に係る釣竿部品の装着固定構造の第１の形態例の要部縦断面図である。
【図２】図２は図１の矢視線Ｂ−Ｂによる横断面図である。
【図３】図３は図１の例に使用の竿管の図である。
【図４】図４は装着釣竿部品の一部品の図である。
【図５】図５は装着釣竿部品の他の一部品の図である。
【図６】図６は装着固定に使用のナット部品の図である。
【図７】図７はナット部品の他の形態例の図である。
【図８】図８は他の部品に適用した例の部分側面図である。
【図９】図９は図８に使用している竿管の要部平面図である。
【図１０】図１０は更に他の部品に適用した例の部分側面図である。
【図１１】図１１は図１０に使用している竿管の要部平面図である。
【符号の説明】
【００２２】
１０                    竿管
１４，３４，４４        連続孔
１６，１８              装着部品
１６Ｈ，１８Ｈ          部品孔
２０                    ナット部品
２０Ｎ                  平面部
２０Ｔ                  頭部
２０Ｓ                  肩部
２２                    雄ねじ部品
【図１】
2006087397.tif 000003
【図２】
2006087397.tif 000004
【図３】
2006087397.tif 000005
【図４】
2006087397.tif 000006
【図５】
2006087397.tif 000007
【図６】
2006087397.tif 000008
【図７】
2006087397.tif 000009
【図８】
2006087397.tif 000010
【図９】
2006087397.tif 000011
【図１０】
2006087397.tif 000012
【図１１】
2006087397.tif 000013